【事件の表示】
　特許第３２９１２７２号「スライドレール」の請求項１ないし４に係る特許に対する特許異議の申立てについて、次のとおり決定する。
【結　論】
　訂正を認める。
　特許第３２９１２７２号の請求項１ないし３に係る特許を取り消す。
【理　由】
第１．手続きの経緯
　本件特許第３２９１２７２号発明は、平成１１年７月２１日の出願であって、平成１４年３月２２日にその特許の設定登録がなされ、その後、市東勇より特許異議の申立てがなされ、取消理由通知がなされ、その指定期間内である平成１５年３月３１日に意見書及び訂正請求書が提出されたものである。
　
第２．訂正の適否についての判断
１．訂正の内容
　本件訂正請求は、本件特許明細書を訂正請求書に添付した訂正明細書のとおりに訂正することを求めるものであり、その訂正の内容は次のとおりである。
ａ．特許請求の範囲の請求項１を、
「固定側アウターメンバーと、該固定側アウターメンバーに対向して設けられた移動側アウターメンバーと、上記両メンバー間に嵌挿されたインナーメンバー等からなり、引出し量を使用者が使用する通常使用時の引出し量と、サービスマンが使用する最大伸長状態の引出し量に少なくとも２段階としたスライドレールにおいて、通常使用時の引出し停止位置で移動側アウターメンバーを停止させるストッパー手段が、インナーメンバーと移動側アウターメンバー間に構成され、該ストッパー手段は、インナーメンバーに形成された移動側アウターメンバー側に突出するストッパー突起と、移動側アウターメンバーに螺合し先端部が前記ストッパー突起の後端に当接するストッパーネジより構成される事により、移動側アウターメンバーが通常使用時の引出し停止位置から最大伸長状態まで移動するときにのみドライバー等の工具にてストッパー状態が解除可能に構成されている事を特徴とするスライドレール。」と訂正する。
ｂ．特許請求の範囲の請求項２を、
「固定側アウターメンバーと、該固定側アウターメンバーに対向して設けられた移動側アウターメンバーと、上記両メンバー間に嵌挿されたインナーメンバー等からなり、引出し量を使用者が使用する通常使用時の引出し量と、サービスマンが使用する最大伸長状態の引出し量に少なくとも２段階としたスライドレールにおいて、通常使用時の引出し停止位置で移動側アウターメンバーを停止させるストッパー手段が、インナーメンバーと移動側アウターメンバー間に構成され、該ストッパー手段は、移動側アウターメンバーに形成されたインナーメンバー側に突出するストッパー突起と、インナーメンバーに螺合し先端部が前記ストッパー突起の前端に当接するストッパーネジより構成される事により、移動側アウターメンバーが通常使用時の引出し停止位置から最大伸長状態まで移動するときにのみドライバー等の工具にてストッパー状態が解除可能に構成されている事を特徴とするスライドレール。」と訂正する。
ｃ．特許請求の範囲の請求項３を、
「固定側アウターメンバーと、該固定側アウターメンバーに対向して設けられた移動側アウターメンバーと、上記両メンバー間に嵌挿されたインナーメンバー等からなり、引出し量を使用者が使用する通常使用時の引出し量と、サービスマンが使用する最大伸長状態の引出し量に少なくとも２段階としたスライドレールにおいて、通常使用時の引出し停止位置で移動側アウターメンバーを停止させるストッパー手段が、インナーメンバーと移動側アウターメンバー間に構成され、該ストッパー手段は、インナーメンバーに形成された移動側アウターメンバー側に突出する弾性ストッパー突起と、移動側アウターメンバーに形成されてインナーメンバー側に突出し、前記弾性ストッパー突起の後端に当接するストッパー突壁と、ストッパー突壁の前側に形成されて、前記弾性ストッパー突起をインナーメンバー側に変移せしめる為の操作孔より構成される事により、移動側アウターメンバーが通常使用時の引出し停止位置から最大伸長状態まで移動するときにのみドライバー等の工具にてストッパー状態が解除可能に構成されている事を特徴とするスライドレール。」と訂正する。
ｄ．特許請求の範囲の請求項４を削除する。
ｅ．段落番号【０００４】を、
「【課題を解決する為の手段】　そこで、上記課題を解決する為、本発明が第１の手段として構成したところは、固定側アウターメンバーと、該固定側アウターメンバーに対向して設けられた移動側アウターメンバーと、上記両メンバー間に嵌挿されたインナーメンバー等からなり、引出し量を使用者が使用する通常使用時の引出し量と、サービスマンが使用する最大伸長状態の引出し量に少なくとも２段階としたスライドレールにおいて、通常使用時の引出し停止位置で移動側アウターメンバーを停止させるストッパー手段が、インナーメンバーと移動側アウ夕一メンバー間に構成され、該ストッパー手段は、インナーメンバーに形成された移動側アウターメンバー側に突出するストッパー突起と、移動側アウターメンバーに螺合し先端部が前記ストッパー突起の後端に当接するストッパーネジより構成される事により、移動側アウターメンバーが通常使用時の引出し停止位置から最大伸長状態まで移動するときにのみドライバー等の工具にてストッパー状態が解除可能に構成されているものである。」と訂正する。
ｆ．段落番号【０００５】を、
「又、本発明が第２の手段として構成したところは、固定側アウターメンバーと、該固定側アウターメンバーに対向して設けられた移動側アウターメンバーと、上記両メンバー間に嵌挿されたインナーメンバー等からなり、引出し量を使用者が使用する通常使用時の引出し量と、サービスマンが使用する最大伸長状態の引出し量に少なくとも２段階としたスライドレールにおいて、通常使用時の引出し停止位置で移動側アウターメンバーを停止させるストッパー手段が、インナーメンバーと移動側アウターメンバー間に構成され、該ストッパー手段は、移動側アウターメンバーに形成されたインナーメンバー側に突出するストッパー突起と、インナーメンバーに螺合し先端部が前記ストッパー突起の前端に当接するストッパーネジより構成される事により、移動側アウターメンバーが通常使用時の引出し停止位置から最大伸長状態まで移動するときにのみドライバー等の工具にてストッパー状態が解除可能に構成されているものである。」と訂正する。
ｇ．段落番号【０００６】を、
「又、本発明が第３の手段として構成したところは、固定側アウターメンバーと、該固定側アウターメンバーに対向して設けられた移動側アウターメンバーと、上記両メンバー間に嵌挿されたインナーメンバー等からなり、引出し量を使用者が使用する通常使用時の引出し量と、サービスマンが使用する最大伸長状態の引出し量に少なくとも２段階としたスライドレールにおいて、通常使用時の引出し停止位置で移動側アウターメンバーを停止させるストッパー手段が、インナーメンバーと移動側アウターメンバー間に構成され、該ストッパー手段は、インナーメンバーに形成された移動側アウターメンバー側に突出する弾性ストッパー突起と、移動側アウターメンバーに形成されてインナーメンバー側に突出し、前記弾性ストッパー突起の後端に当接するストッパー突壁と、ストッパー突壁の前側に形成されて、前記弾性ストッパー突起をインナーメンバー側に変移せしめる為の操作孔より構成される事により、移動側アウターメンバーが通常使用時の引出し停止位置から最大伸長状態まで移動するときにのみドライバー等の工具にてストッパー状態が解除可能に構成されているものである。」と訂正する。
ｈ．段落番号【０００７】を削除する。
ｉ．段落番号【００２４】を、
「さらに、請求項１及び請求項２に記載の発明によれば、上記効果に加え、ストッパー手段をストッパー突起とストッパーネジから構成しているので構造が簡単で安価に製作出来、ストッパーネジの螺合位置を複数個形成しておくだけで、停止位置を適宜選択出来、各種種類の複写機に対応する事が出来る。」と訂正する。
ｊ．段落番号【００２５】を、
「請求項３に記載の発明によれば、ストッパー手段が弾性ストッパー突起と操作孔等より構成されているので、ストッパーを解除するだけで、点検修理後、再度ストッパー機能を復帰させる作業を必要としないので、作業性が向上し、安全性を確実に確保する事ができる。」と訂正する。
　
２．訂正の目的の適否、新規事項の有無及び拡張・変更の存否
　上記訂正事項について検討すると、訂正事項ａないしｄは、実質的に、訂正前の請求項１を削除し、訂正前の請求項２ないし請求項４の項番を繰り上げるとともに、ストッパー状態の解除が「移動側アウターメンバーが通常使用時の引出し停止位置から最大伸長状態まで移動するときのみ」であることに限定し、「通常使用時の引出し量」及び「大伸長状態の引出し量」の内容を明確にするものであるから、特許請求の範囲の減縮及び明りょうでない記載の釈明を目的とするものである。
　訂正事項ｅないしｊは、訂正事項ａないしｄにより訂正しようとする特許請求の範囲の記載に、特許明細書の記載を整合させる訂正であるから、明りょうでない記載の釈明を目的とするものである。
　そして、上記訂正事項ａないしｊは、願書に添付した明細書又は図面に記載した事項の範囲内の訂正であり、かつ、いずれも実質上特許請求の範囲を拡張し又は変更するものでもない。
　
３．むすび
　以上のとおりであるから、上記訂正請求は、特許法第１２０条の４第２項に規定する訂正の目的を満たすものであり、かつ同条第３項で準用する第１２６条第２、３項の規定に適合する。
　よって、本件訂正請求のとおりの訂正を認める。
　
第３．特許異議申立についての判断
１．本件特許に係る発明
　上記第２に示したとおり、本件に係る訂正が認められるから、本件の請求項１ないし３に係る発明は、上記訂正請求書に添付した訂正明細書の特許請求の範囲の請求項１ないし３に記載された、上記第２．１．ａないしｃに記載した事項により特定されるとおりのものである。
　
２．刊行物に記載された発明
　当審が平成１５年２月１９日付けで通知した取消しの理由において引用した刊行物１ないし３にはそれぞれ次のとおりの発明が記載されている。
（１）取消理由通知で引用された刊行物１（実願昭６４−３９９号（実開平２−９２１１５号）のマイクロフイルム、異議申立人の提出した甲第１号証）には、次のように記載されている。
ａ．「本考案は、複写機やプリンター等の装置において、本体フレームに対して引出し可能に構成したユニットの支持機構に関し、特に、スライドレール装置の停止位置を２段階に設定して、メンテナンスに際してのみ、ユニツトの引出し距離を大きく取り得るようにするスライドレールのストッパ装置に関する。」（２頁５〜１１行）、
ｂ．「本考案のスライドレール装置においては、前記スライドレール装置を外スライド側から内スライドに向けて突出される突出部材と、該突出部材の先端部が係合される板バネ部材とから構成し、該板バネ部材には突出部材に対して２段階の係止部材を設けるとともに、前記２段目の係止部材に対しては、装置のメンテナンス等に際してのみ使用が可能なものとして構成している。
　また、本考案の装置においては、通常の動作では１段目のみを使用させるようにし、特殊な目的にのみ、２段目を使用することが出来るようにするために、内スライドに設けた孔にドライバー等の工具を挿人して板バネ部材を押圧し、１段目の係止状態の解除を行うことが出来るように構成することが出来る。
　そして、本考案のスライドレールのストッパ装置において、通常の操作に際しては、第１段目のストッパ装置により、スライドレール装置を停止させることが出来るものであり、特に、移動部材の引出し距離を多く設定することが必要な場合にのみ、２段目の停止手段を用いることが出来るようになる。
　したがって、本考察のスライドレール装置においては、特別の目的以外にはその２段目の停止手段を用いることがないので、移動部材を多く引き出した場合に、特定のメンテナンス技術者のみが、他の装置等に接することが可能になり、通常の動作では移動部材の周囲の余分な装置に接することを防止することが出来るものとなる。」（７頁１６行〜９頁５行）、
ｃ．「第１図に示されるスライドレール装置において、中間スライドの外レール７の端部には、内スライド１０に向けて突出部材２１が設けられている。また、外レール７に対向して配置される内スライド１０には、前記突出部材２１の側に板バネ部材２５が設けられている。そして、前述した突出部材２１と板バネ部材２５とによって、本考案のストッパ装置２０が構成される。
　前記ストッパ装置２０において、板バネ部材２５はその一端部が止め部２６を介して、内スライド１０の外レール側に固定されており、第１図に見られるように、外レール７に向けて２つの山部分を形成し、その山の頂部に第１段係止孔２７と第２段係止孔２８とを設けている。そして、前述したようにして構成された第１段係止孔２７と第２段係止孔２８とに対して、それぞれ突出部材２１が係合され得るようになっている。
　ところが、前述した本考案の外スライドにおいては、通常の内スライド１０の移動を行う場合には、外レール７に設けた突出部材２１が、第１段係止部２７に係合する状態で、そのストッパ装置２０による内スライドの移動の規制が行われるようになっているもので、第２段係止孔２８は使用されないようになっている。
　そこで、本考案のスライドレール装置において、内スライド１０に設けた移動部材をより大きく引き出そうとする場合には、外レール７の突出部材側の端部付近に挿入孔２２を配置し、該挿入孔２２に対してドライバー等のようなものを挿入して、突出部材２１を係止している板バネ部材２５を押圧し、該突出部材２１を第１段係止部２７から解放する。
　その状態で、移動部材を引き出すことによって、内スライド１０をさらに移動させ、次の第２段係止孔２８に突出部材２１を係台させた状態で、その内スライド１０の固定を行うことが出来る。」（９頁末行〜１１頁１５行）、
ｄ．「第２図に示されるスライドレール装置１においては、・・・両側のスライドのうち、外スライド２を固定フレーム１５の側に配置し、内スライド１０を移動部材１６の側に配置していて、それぞれのスライドを固定フレーム１５と移動部材１６との固定して構成している。
　また、前記外スライド２と内スライド１０との間に配置される内レール６と外レール７とは、互いに背中合わせの状態で接続されている・・・
　本考案のスライドレール装置１においては、外スライド２に対してボールリティナ３に保持されたボール４を介して、中間スライド５の内レール６をスライド可能に設け、該内レール６に接続された外レール７に対して、ボールリティナ８に保持されたボール９を介して、内スライド１０を案内するようにしている。
　そして、本考案のスライドレール装置１に対して、その外レール７と内スライド１０との間にストッパ装置２０を設けているので、外スライド２に対して中間スライド５を摺動させ、該中間スライド５に対して移動部材１６に固定された内スライド１０を摺動させる際に、前述したストッパ装置２０の板バネ部材２５と、突出部材２１との組合わせ部材を用いることが出来るようになっている。また、本考案の上記した構成を有するスライドレール装置において、前記移動部材１６を引き出し可能な状態で、ユニットとして本体フレームに設けておき、該ユニットを引き出した際に、尚もその本体フレームの奥の部分にメンテナンスを必要とする部材がある場合に、その第２段係止孔が使用されることになる。
　この作業を行うに際して、第１段係止部２７で停止されている突出部材２１を外して、その内スライド１０をさらに移動させて、第２段係止孔２８で突出部材との係合を行わせ、その移動部材の端部と本体フレームとの間に形成される隙間から、その必要とされる作業を行うことが出来る。」（１２頁４行〜１４頁１２行）、
ｅ．「前述したような構成のスライドレール装置を用いる画像形成装置では、通常の装置の操作において使用する必要がないものであり、さらに、オペレータが触れることによって、新たな障害が発生する危険性のある部分が多く設けられている。
　本考案のスライドレール装置においては、第１図に示されたように、オペレータが通常の作業では触れることのないような位置に、挿入孔２２を設けておくことによって、メンテナンスに際して、サービスマンのみが挿入孔を介して、板バネ部材を押圧することが出来るように構成し、オペレータが容易に板バネ部材に対して接することがないように形成する。」（１４頁末行〜１５頁１３行）。
　これらの記載及び図面の記載からみて、刊行物１には、
「固定フレームに固定される外スライド２と、該外スライド２に対向して設けられた、移動部材に固定された内スライド１０と、上記両スライド間に嵌挿された内レール６と外レール７とからなる中間スライド５を有し、引出し量をオペレータが使用する通常使用時の引出し量と、サービスマンが使用するそれより大きい引出し量に少なくとも２段階としたスライドレール装置において、内スライド１０を第１段係止部で停止させるストッパー装置２０が、内スライド１０と中間スライド５間に構成され、該ストッパー装置２０が、内スライド１０に形成された中間スライド５側に突出する板バネ部材２５と、中間スライド５に形成されて内スライド１０に突出し、前記板バネ部材２５の係止部材に係止する突出部材２１と、突出部材２１の後側に形成されて、前記板バネ部材２５を内スライド１０側に変移せしめる為の挿入孔２２より構成され、内スライドが第１段係止部からそれより大きい伸長状態まで移動するときにドライバー等の工具にてストッパー状態が解除可能に構成されているスライドレール装置。」の発明が記載されていると認められる。
　
（２）同じく刊行物２（特開平７−２３６５３２号公報、異議申立人の提出した甲第２号証）には、図面と共に、次のように記載されている。
「家具の側壁（７）（７）の内面に水平に取り付けられた左右一対の長尺のレール部材（１）（１）と、引出し（９）の左右側壁（１０）（１０）の外面に前後方向に沿って形成されて前記レール部材（１）に摺動自在に嵌合するスライド溝（１１）（１１）とを含み、前記レール部材（１）は垂直板部（２）とこの垂直板部（２）の上端から引出し側に向かって延びる引出し受面（３）とを備え、前記レール部材（１）の前方寄りで垂直板部（２）から指向性のある弾性舌片（４）が後退可能に突出形成されており、該弾性舌片（４）は引出しの差し込み方向に対して緩やかに傾斜し、引出しの引き抜き方向に先端を向けて形成され、更に引出し（９）の後部寄りの側壁（１０）（１０）に前記スライド溝（１１）に向かって突出するストッパーピン（１２）が設けられ、該ストッパーピン（１２）の近傍位置で引出し前方側に側壁（１０）（１０）を貫通する解除用孔（１２）が形成されていることを特徴とする引出しのストッパー装置。」（請求項１）、
「ストッパー装置における引出し（９）の挿入時には、弾性舌片（４）の緩やかな斜面がストッパーピン（１２）に押されて後退し、引出しの通過を許す。ストッパーピン（１２）が通過すると弾性舌片（４）が元の突出姿勢に復元して、引出し（９）を前方に所定量引き出したときに、ストッパーピン（１２）が弾性舌片（４）の先端に当接して引出しの不用意な抜脱を防止する。又、引出し（９）を家具から取り外したい時は、図３に示すように解除用孔（１３）からドライバー等の棒材（５）を挿入して弾性舌片（４）を後退させながら引出し（９）を前方に引き出せばよい。」（段落【０００６】）、
「引出し（９）の後部寄りの側壁（１０）（１０）に前記スライド溝（１１）に向かって突出するストッパーピン（１２）が設けられ、該ストッパーピン（１２）の近傍位置で引出し前方側に側壁（１０）（１０）を貫通する解除用孔（１２）（１３の誤記）が形成されている。図１ないし図２で示した実施例では、前記ストッパーピン（１２）と解除用孔（１３）とは一つの筒部材（１４）によって形成されて側壁（１０）にあけた穴に固く嵌合されているが、これに変えて図４に示すように、ストッパーピン（１２）とは別に解除用孔（１３）を側壁（１０）に形成してもよい。又ストッパーピン（１２）は側壁（１０）に対して螺合手段により固定するようにしてもよい。」（段落【０００９】）。
　
（３）同じく刊行物３（実願昭５５−８２３０号（実開昭５６−１１１８４９号）のマイクロフイルム）には、図面と共に、次のように記載されている。
「抽斗を収容すべき家具等の内側壁に、・・・抽斗案内用レールを取付け、抽斗の側板外側両部に、上記レ−ルに摺動自在に係合する被案内部を形成すると共に、上記レ一ルの溝の前端部にストッパーを兼用するクッション材を・・・装着し、上記油斗の側板の後部に抽斗抜止め用のピンを、該ピンの先端が上記レ−ルの溝内に臨んで抽斗引出時に上記ストッパーに当接する状態に、側板の内側方から着脱可能に貫装してなることを特徴とする抽斗の引出機構。」（実用新案登録請求の範囲）、
「家具等の両側壁２，２にレール１，１を取付け、該レール１，１に抽斗３の両側板３ａ，３ａに設けた被案内部４，４を摺動自在に外嵌させることによって抽斗５を家具等に収容し、かつ、前記ピン１２，１２を抽斗３の側板３ａ，３ａの後部に貫装した状態で、抽斗３がレール１，１に沿って前後に一定範囲出入自在となる。そして、抽斗３を所定位置まで引出したとき、前記ピン１２，１２の先端がレール１，１の溝５，５内においてクッション材６，６の後端面に当接することにより、抽斗５が不測に抜け外れることが防止される。・・・次に、抽斗３を所望に応じて家具等から取出すときは、抽斗３を引出した状態で、第４図に矢印で示すように前記ピン１２，１２を抽斗３の内方に向けて引抜くことにより、抽斗３の抜止め作用が解除され、自由に抽斗３を家具本体から抜き出すことができる。」（明細書７頁１２行〜８頁１５行）。
　
３．対比・判断
（１）請求項１に係る発明と刊行物１記載の発明を対比すると、刊行物１記載の発明の「外スライド２」、「内スライド１０」、「中間スライド５」、「オペレータ」、「ストッパー装置２０」、「スライドレール装置」は、請求項１に係る発明の「固定側アウターメンバー」、「移動側アウターメンバー」、「インナーメンバー」、「使用者」、「ストッパー手段」、「スライドレール」に相当するから、両者は、
「固定側アウターメンバーと、該固定側アウターメンバーに対向して設けられた移動側アウターメンバーと、上記両メンバー間に嵌挿されたインナーメンバー等からなり、引出し量を使用者が使用する通常使用時の引出し量と、サービスマンが使用するそれより大きい引出し量に少なくとも２段階としたスライドレールにおいて、移動側アウターメンバーを停止させるストッパー手段が、インナーメンバーと移動側アウターメンバー間に構成され、該ストッパー手段は、ドライバー等の工具にてストッパー状態が解除可能に構成されているスライドレール。」である点で一致しており、以下の点で相違する。
　相違点１：通常使用時の引出し量より大きい引出し量が、請求項１に係る発明では、「最大伸長状態の引出し量」であるのに対し、刊行物１記載の発明は、このような引出し量であるか否か不明な点。
　相違点２：ストッパー手段が、請求項１に係る発明は、「インナーメンバーに形成されたアウターメンバー側に突出するストッパー突起と、移動側アウターメンバーに螺合し、先端部が前記ストッパー突起の後端に当接するストッパーネジより構成される事により、移動側アウターメンバーが通常使用時の引出し停止位置から最大伸長状態まで移動するときにのみストッパー状態が解除可能に構成されている」のに対し、刊行物１記載の発明は、このような構成のものではない点。
　上記相違点１について検討すると、刊行物１記載の発明において、第２段係止孔は、本体フレームの奥の部分にメンテナンスを必要とする部材がある場合に、通常使用時の引出し量より大きく引出すためのものであるから、メンテナンス作業を容易にするために、その引出し量を引出しの「最大伸長状態の引出し量」とすることは、当業者が容易に設定しうることである。
　相違点２について検討すると、刊行物２には、通常の使用時には引出しを所定量引き出した状態で停止させ、さらに引出しを前方に引き出す場合には該停止状態を解除する引出しのストッパー装置として、家具に固定されたレール部材にストッパー突起（弾性舌片）を設け、引出しの溝に先端部がストッパー突起の後端に当接するストッパーピンを螺合手段により固定することが記載されており、引出しを突出させる場合にのみ、ドライバー等の工具にてストッパー状態を解除可能とすることが示されている。
　また、ストッパーピンと突起の係合を解除するために、ストッパーピンを着脱することは、刊行物３に記載されているように周知の技術であり、刊行物１記載の発明において、ストッパー手段として、刊行物２、３に記載の発明を適用して請求項１に係る発明の相違点２の構成とすることは当業者が容易になしうることである。
　なお、刊行物１記載の発明の実施例においては、第１段係止部は板バネ部材２５の山部分の頂部に形成された係止孔２７であり、このような係止孔であると、内スライドを通常係止する際にも収納する際にも、板バネ部材２５を押圧する必要があるように見える。しかし、刊行物１には、上記第３．２．（１）ｂ、ｅに示すとおり、ドライバー等の工具による操作は、サービスマンのみができるように構成し、使用者が容易に板バネ部材に対して接することがないようにすることが記載されており、ストッパー手段として、通常の引き出し収納に際してはドライバー等の工具を必要としない刊行物２、３記載の発明のストッパー手段を適用することに格別困難性はない。
　そして、請求項１に係る発明の作用は全体として、刊行物１ないし３記載の発明から予測できる程度のものである。
　したがって、請求項１に係る発明は、刊行物１ないし３に記載の発明に基いて当業者が容易に発明をすることができたものである。
　
（２）請求項２に係る発明について
　請求項２に係る発明と刊行物１記載の発明を対比すると、両者は、請求項１に係る発明と同様の点で一致し、上記相違点１の他に、以下の点で相違する。
　相違点３：ストッパー手段が、請求項２に係る発明は、「移動側アウターメンバーに形成されたインナーメンバー側に突出するストッパー突起と、インナメンバーに螺合し、先端部が前記ストッパー突起の前端に当接するストッパーネジより構成される事により、移動側アウターメンバーが通常使用時の引出し停止位置から最大伸長状態まで移動するときにのみドライバー等の工具にてストッパー状態が解除可能に構成されている」のに対し、刊行物１記載の発明は、このような構成のものではない点。
　相違点１については、上記（１）で述べたとおり、当業者が容易に設定しうることである。
　相違点３について検討すると、上記（１）で述べたとおり、刊行物２には、家具に固定されたレール部材と引出しを、ストッパー突起（弾性舌片）と先端部がストッパー突起に当接するストッパーネジにより係止すること、引出しを通常使用時の引出し停止位置で停止させると共に、さらに引出しを突出させる場合にのみ、ドライバー等の工具にてストッパー状態を解除可能とすることが示されており、また、ストッパーピンと突起の係合を解除するために、ストッパーピンを着脱することは、刊行物３に記載されているように周知の技術であり、刊行物１記載の発明において、インナーメンバーと移動側アウターメンバー間に構成されるストッパー手段を、刊行物２、３に記載の発明を適用してストッパーネジとストッパー突起とすることは当業者が容易になしうることであり、その際インナーメンバーと、移動側アウターメンバーのどちらにストッパーネジ又はストッパー突起を設けるかは、適宜選択しうる程度のことであって、インナーメンバーにストッパーネジを設け、該ストッパーネジを移動側アウターメンバーに形成されたストッパー突起の前端に当接するようにすることは、当業者が容易になしうることである。
　そして、請求項２に係る発明の作用は全体として、刊行物１ないし３記載の発明から予測できる程度のものである。
　したがって、請求項２に係る発明は、刊行物１ないし３に記載の発明に基いて当業者が容易に発明をすることができたものである。
　
（３）請求項３に係る発明について
　請求項３に係る発明と刊行物１記載の発明を対比すると、刊行物１記載の発明の「板バネ部材」は、請求項３に係る発明の「弾性ストッパー突起」に相当し、刊行物１記載の発明の「突出部材２１」と、請求項３に係る発明の「ストッパー突壁」とは、「弾性ストッパー突起」に係合する「ストッパー部材」である点で共通するから、両者は、
「固定側アウターメンバーと、該固定側アウターメンバーに対向して設けられた移動側アウターメンバーと、上記両メンバー間に嵌挿されたインナーメンバー等からなり、引出し量を使用者が使用する通常使用時の引出し量と、サービスマンが使用するそれより大きい引出し量に少なくとも２段階としたスライドレールにおいて、通常使用時の引出し停止位置で移動側アウターメンバーを停止させるストッパー手段が、インナーメンバーと移動側アウターメンバー間に構成され、該ストッパー手段が、弾性ストッパー突起と該弾性ストッパー突起に係合するストッパー部材と、ストッパー部材の近傍に形成されて、前記弾性ストッパー突起を変移せしめる為の操作孔より構成され、該ストッパー手段は、ドライバー等の工具にてストッパー状態が解除可能に構成されているスライドレール。」である点で一致し、上記相違点１の他に、以下の点で相違する。
　相違点４：ストッパー手段が、請求項３に係る発明は、「インナーメンバーに形成された移動側アウターメンバー側に突出する弾性ストッパー突起と、移動側アウターメンバーに形成されてインナーメンバー側に突出し、前記弾性ストッパー突起の後端に当接するストッパー突壁と、ストッパー突壁の前側に形成されて、前記弾性ストッパー突起をインナーメンバー側に変移せしめる為の操作孔より構成されることにより、移動側アウターメンバーが通常使用時の引出し停止位置から最大伸長状態まで移動するときにのみドライバー等の工具にてストッパー状態が解除可能に構成されている」のに対し、刊行物１記載の発明は、「移動側アウターメンバーに形成されたインナーメンバー側に突出する弾性ストッパー突起と、インナーメンバーに形成されて移動側アウターメンバー側に突出し、前記弾性ストッパー突起の係止孔に係合するストッパー部材と、ストッパー部材の後ろ側に形成されて、前記弾性ストッパー突起を移動側アウターメンバー側に変移せしめる為の操作孔より構成されたものであり、ドライバー等の工具によるストッパー状態の解除が、通常使用時の引出し停止位置から最大伸長状態まで移動するときにのみであるか否か明確でない点。
　相違点１については、上記（１）で述べたとおり、当業者が容易に設定しうることである。
　相違点４について検討すると、刊行物２には、家具に固定されたレール部材にストッパー突起（弾性舌片）を設け、引出しに形成した溝に、先端部がストッパー突起の後端に当接するストッパーピンを固定し、ストッパーピンの前側に形成された操作孔より、前記弾性ストッパー突起を変移せしめ、通常使用時の引出し停止位置からさらに移動させるときにのみストッパーを解除することが記載されており、刊行物１記載の発明において、ストッパー部材を引出しに固定される移動側アウターメンバーに形成し、弾性ストッパー突起をインナーメンバーに形成し、かつストッパー部材を弾性ストッパー突起の後端に当接させ、さらに操作孔をストッパーピン部材の前側に設け、通常使用時の引出し停止位置から最大伸長状態まで移動するときにのみストッパー状態の解除するようにすることは、刊行物１記載の発明に刊行物２記載の発明を適用して当業者が容易になしうることである。
　また、ストッパー部材を「突壁」形状とすることは当業者が適宜なしうる程度のことである。
　なお、刊行物１記載のように、アウターメンバーとインナーメンバー間にボールリティナを介在させるものにおいては、ボールリティナの抜け止め防止のために、アウターメンバーに係止部を設けることが普通であり、該係止部を「ストッパー突壁」として用いることも当業者が容易になしうることである。
　そして、請求項３に係る発明の作用は全体として、刊行物１及び２記載の発明から予測できる程度のものである。
　したがって、請求項３に係る発明は、刊行物１、２に記載の発明に基いて当業者が容易に発明をすることができたものである。
　
第４．むすび
　以上のとおり、本件請求項１ないし３に係る発明についての特許は、特許法第２９条第２項の規定に違反してなされたものであり、特許法第１１３条第２号に該当し、取り消されるべきものである。
　よって、結論のとおり決定する。
【異議決定日】
平成１５年４月２５日（２００３．４．２５）
【訂正の要旨】
ａ．特許請求の範囲の請求項１において「固定側アウターメンバーと、該固定側アウターメンバーに対向して設けられた移動側アウターメンバーと、上記両メンバー間に嵌挿されたインナーメンバー等からなり、引出し量を通常使用時の引出し量と最大伸長状態の引出し量にすくなくとも２段階で選択可能としたスライドレールにおいて、移動側アウターメンバーが最大伸長状態となるまでの途中位置で停止させるストッパー手段が、インナーメンバーと移動側アウターメンバー間に構成され、該ストッパー手段が、ドライバー等の工具にてストッパー状態が解除可能に構成されている事を特徴とするスライドレール。」とあるを、
「固定側アウターメンバーと、該固定側アウターメンバーに対向して設けられた移動側アウターメンバーと、上記両メンバー間に嵌挿されたインナーメンバー等からなり、引出し量を
使用者が使用する
、サービスマンが使用する
とした
通常使用時の引出し停止位置で移動側アウターメンバーを停止させる
は、インナーメンバーに形成された移動側アウターメンバー側に突出するストッパー突起と、移動側アウターメンバーに螺合し先端部が前記ストッパー突起の後端に当接するストッパーネジより構成される事により、移動側アウターメンバーが通常使用時の引出し停止位置から最大伸長状態まで移動するときにのみ
ｂ．特許請求の範囲の請求項２において「固定側アウターメンバーと、該固定側アウターメンバーに対向して設けられた移動側アウターメンバーと、上記両メンバー間に嵌挿されたインナーメンバー等からなり、引出し量を通常使用時の引出し量と最大伸長状態の引出し量にすくなくとも２段階で選択可能としたスライドレールにおいて、移動側アウターメンバーを最大伸長状態となるまでの途中位置で停止させるストッパー手段が、インナーメンバーと移動側アウターメンバー間に構成され、該ストッパー手段が、インナーメンバーに形成されたアウターメンバー側に突出するストッパー突起と、移動側アウターメンバーに螺合し、先端部が前記ストッパー突起の後端に当接するストッパーネジより構成されている事を特徴とするスライドレール。」とあるを、
「固定側アウターメンバーと、該固定側アウターメンバーに対向して設けられた移動側アウターメンバーと、上記両メンバー間に嵌挿されたインナーメンバー等からなり、引出し量を
使用者が使用する
、サービスマンが使用する
とした
通常使用時の引出し停止位置で移動側アウターメンバーを停止させる
は、移動側アウターメンバーに形成されたインナーメンバー側
インナーメンバーに
前端に
される事により、移動側アウターメンバーが通常使用時の引出し停止位置から最大伸長状態まで移動するときにのみドライバー等の工具にてストッパー状態が解除可能に
ｃ．特許請求の範囲の請求項３において「固定側アウターメンバーと、該固定側アウターメンバーに対向して設けられた移動側アウターメンバーと、上記両メンバー間に嵌挿されたインナーメンバー等からなり、引出し量を通常使用時の引出し量と最大伸長状態の引出し量にすくなくとも２段階で選択可能としたスライドレールにおいて、移動側アウターメンバーを最大伸長状態となるまでの途中位置で停止させるストッパー手段が、インナーメンバーと移動側アウターメンバー間に構成され、該ストッパー手段が、移動側アウターメンバーに形成されたインナーメンバー側に突出するストッパー突起と、インナメンバーに螺合し、先端部が前記ストッパー突起の前端に当接するストッパーネジより構成されている事を特徴とするスライドレール。」とあるを、
「固定側アウターメンバーと、該固定側アウターメンバーに対向して設けられた移動側アウターメンバーと、上記両メンバー間に嵌挿されたインナーメンバー等からなり、引出し量を
使用者が使用する
、サービスマンが使用する
とした
通常使用時の引出し停止位置で移動側アウターメンバーを
は、インナーメンバーに形成された移動側アウターメンバー側に突出する弾性ストッパー突起と、移動側アウターメンバーに形成されてインナーメンバー側に突出し、前記弾性ストッパー突起の後端に当接するストッパー突壁と、ストッパー突壁の前側に形成されて、前記弾性ストッパー突起をインナーメンバー側に変移せしめる為の操作孔より構成される事により、移動側アウターメンバーが通常使用時の引出し停止位置から最大伸長状態まで移動するときにのみドライバー等の工具にてストッパー状態が解除可能に
ｄ．特許請求の範囲の請求項４を削除する。
ｅ．特許請求の範囲の記載と発明の詳細な説明の記載の整合をとる為、
段落番号【０００４】に、「【課題を解決する為の手段】　そこで、上記課題を解決する為、本発明が第１の手段として構成したところは、固定側アウターメンバーと、該固定側アウターメンバーに対向して設けられた移動側アウターメンバーと、上記両メンバー間に嵌挿されたインナーメンバー等からなり、移動側アウターメンバーを最大伸長状態となるまでの途中位置で停止させるストッパー手段が、インナーメンバーと移動側アウターメンバー間に構成され、該ストッパー手段が、ドライバー等の工具にて、ストッパー状態が解除可能に構成されているものである。」とあるを、
「【課題を解決する為の手段】　そこで、上記課題を解決する為、本発明が第１の手段として構成したところは、固定側アウターメンバーと、該固定側アウターメンバーに対向して設けられた移動側アウターメンバーと、上記両メンバー間に嵌挿されたインナーメンバー等からなり、引出し量を
使用者が使用する
、サービスマンが使用する
とした
通常使用時の引出し停止位置で移動側アウターメンバーを停止させる
は、インナーメンバーに形成された移動側アウターメンバー側に突出するストッパー突起と、移動側アウターメンバーに螺合し先端部が前記ストッパー突起の後端に当接するストッパーネジより構成される事により、移動側アウターメンバーが通常使用時の引出し停止位置から最大伸長状態まで移動するときにのみ
ｆ．特許請求の範囲の記載と発明の詳細な説明の記載の整合をとる為、
段落番号【０００５】に「又、本発明が第２の手段として構成したところは、固定側アウターメンバーと、該固定側アウターメンバーに対向して設けられた移動側アウターメンバーと、上記両メンバー間に嵌挿されたインナーメンバー等からなり、移動側アウターメンバーを最大伸長状態となるまでの途中位置で停止させるストッパー手段が、インナーメンバーと移動側アウターメンバー間に構成され、該ストッパー手段が、インナーメンバーに形成されたアウターメンバー側に突出するストッパー突起と、移動側アウターメンバーに螺合し、先端部が前記ストッパー突起の後端に当接するストッパーネジより構成されているものである。」とあるを、
「又、本発明が第２の手段として構成したところは、固定側アウターメンバーと、該固定側アウターメンバーに対向して設けられた移動側アウターメンバーと、上記両メンバー間に嵌挿されたインナーメンバー等からなり、引出し量を
使用者が使用する
、サービスマンが使用する
とした
通常使用時の引出し停止位置で移動側アウターメンバーを停止させる
は、移動側アウターメンバーに形成されたインナーメンバー側
インナーメンバーに
前端に
される事により、移動側アウターメンバーが通常使用時の引出し停止位置から最大伸長状態まで移動するときにのみドライバー等の工具にてストッパー状態が解除可能に
ｇ．特許請求の範囲の記載と発明の詳細な説明の記載の整合をとる為、
段落番号【０００６】に「又、本発明が第３の手段として構成したところは、固定側アウターメンバーと、該固定側アウターメンバーに対向して設けられた移動側アウターメンバーと、上記両メンバー間に嵌挿されたインナーメンバー等からなり、移動側アウターメンバーを最大伸長状態となるまでの途中位置させるストッパー手段が、インナーメンバーと移動側アウターメンバー間に構成され、該ストッパー手段が、移動側アウターメンバーに形成されたインナーメンバー側に突出するストッパー突起と、インナメンバーに螺合し、先端部が前記ストッパー突起の前端に当接するストッパーネジより構成されているものである。」とあるを、
「又、本発明が第３の手段として構成したところは、固定側アウターメンバーと、該固定側アウターメンバーに対向して設けられた移動側アウターメンバーと、上記両メンバー間に嵌挿されたインナーメンバー等からなり、引出し量を
使用者が使用する
、サービスマンが使用する
とした
通常使用時の引出し停止位置で移動側アウターメンバーを
は、インナーメンバーに形成された移動側アウターメンバー側に突出する弾性ストッパー突起と、移動側アウターメンバーに形成されてインナーメンバー側に突出し、前記弾性ストッパー突起の後端に当接するストッパー突壁と、ストッパー突壁の前側に形成されて、前記弾性ストッパー突起をインナーメンバー側に変移せしめる為の操作孔より構成される事により、移動側アウターメンバーが通常使用時の引出し停止位置から最大伸長状態まで移動するときにのみドライバー等の工具にてストッパー状態が解除可能に
ｈ．特許請求の範囲の記載と発明の詳細な説明の記載の整合をとる為、
段落番号【０００７】を削除する。
ｉ．特許請求の範囲の記載と発明の詳細な説明の記載の整合をとる為、
段落番号【００２４】に「請求項２及び請求項３に記載の発明によれば、上記効果に加え、ストッパー手段をストッパー突起とストッパーネジから構成しているので行動が簡単で安価に製作出来、ストッパーネジの螺合位置を複数個形成しておくだけで、停止位置を適宜選択出来、各種種類の複写機に対応する事が出来る。」とあるを、
「
さらに、請求項１及び請求項２
ｊ．特許請求の範囲の記載と発明の詳細な説明の記載の整合をとる為、
段落番号【００２５】に「請求項４に記載の発明によれば、ストッパー手段が弾性ストッパー突起と操作孔等より構成されているので、ストッパーを解除するだけで、点検修理後、再度ストッパー機能を復帰させる作業を必要としないので、作業性が向上し、安全性を確実に確保する事ができる。」とあるを、
「請求項
３
（５４）【発明の名称】
スライドレール
（５７）【特許請求の範囲】
　【請求項１】　固定側アウターメンバーと、該固定側アウターメンバーに対向して設けられた移動側アウターメンバーと、上記両メンバー間に嵌挿されたインナーメンバー等からなり、引出し量を
使用者が使用する
、サービスマンが使用する
とした
通常使用時の引出し停止位置で移動側アウターメンバーを停止させる
は、インナーメンバーに形成された移動側アウターメンバー側に突出するストッパー突起と、移動側アウターメンバーに螺合し先端部が前記ストッパー突起の後端に当接するストッパーネジより構成される事により、移動側アウターメンバーが通常使用時の引出し停止位置から最大伸長状態まで移動するときにのみ
　【請求項２】　固定側アウターメンバーと、該固定側アウターメンバーに対向して設けられた移動側アウターメンバーと、上記両メンバー間に嵌挿されたインナーメンバー等からなり、引出し量を
使用者が使用する
、サービスマンが使用する
とした
通常使用時の引出し停止位置で移動側アウターメンバーを停止させる
は、移動側アウターメンバーに形成されたインナーメンバー側
インナーメンバーに
前端に
される事により、移動側アウターメンバーが通常使用時の引出し停止位置から最大伸長状態まで移動するときにのみドライバー等の工具にてストッパー状態が解除可能に
　【請求項３】　固定側アウターメンバーと、該固定側アウターメンバーに対向して設けられた移動側アウターメンバーと、上記両メンバー間に嵌挿されたインナーメンバー等からなり、引出し量を
使用者が使用する
、サービスマンが使用する
とした
通常使用時の引出し停止位置で移動側アウターメンバーを
は、インナーメンバーに形成された移動側アウターメンバー側に突出する弾性ストッパー突起と、移動側アウターメンバーに形成されてインナーメンバー側に突出し、前記弾性ストッパー突起の後端に当接するストッパー突壁と、ストッパー突壁の前側に形成されて、前記弾性ストッパー突起をインナーメンバー側に変移せしめる為の操作孔より構成される事により、移動側アウターメンバーが通常使用時の引出し停止位置から最大伸長状態まで移動するときにのみドライバー等の工具にてストッパー状態が解除可能に
【発明の詳細な説明】
　【０００１】
　【発明の属する技術分野】　本発明は、引き出し量を、通常時の引き出し量とメンテナンス時の引き出し量の少なくとも２段階で選択可能となした、特に複写機等のＯＡ機器に使用されるスライドレールに関するものである。
　【０００２】
　【従来の技術】複写機等に内蔵されている各種部材は、通常の使用時でも、用紙、トナー等の交換、あるいは紙詰まり等で、前方に引き出される場合がある。この時、使用者が誤って機器の内部まで指先等を潜り込ませたり、あるいは高電圧の部分に不用意に触れないよう、引き出し量を必要最小限までとし、安全性を確保していた。
　一方、サービスマンが機器の点検あるいは故障の修理をする時には、作業性の向上を計る必要から、引き出し量を最大限極力大きくしていた。
　この為、複写機の本体にストッパー手段を設けて、通常使用時は引き出し量を制限し、メンテナンス時には、ストッパー手段を解除して引き出し量を大きくする等の工夫がなされていた。　しかしながら、使用者が通常使用時に誤ってストッパー手段を解除させたり、あるいは、複写機の種類、引き出される部材の種類及び位置によってストッパー手段の構成を変えたり、又、その取り付け位置を変える必要があり、非常に煩雑であるばかりか、高価となる問題があった。
　【０００３】
　【発明が解決しようとする課題】　本発明は、引き出し量を少なくとも２段階にわたって選択可能で、しかも、使用者が誤って操作する事がなく、簡単な構造で安価に製作できるスライドレールを提供する事を課題とする。
　【０００４】
　「【課題を解決する為の手段】　そこで、上記課題を解決する為、本発明が第１の手段として構成したところは、固定側アウターメンバーと、該固定側アウターメンバーに対向して設けられた移動側アウターメンバーと、上記両メンバー間に嵌挿されたインナーメンバー等からなり、引出し量を
使用者が使用する
、サービスマンが使用する
とした
通常使用時の引出し停止位置で移動側アウターメンバーを停止させる
は、インナーメンバーに形成された移動側アウターメンバー側に突出するストッパー突起と、移動側アウターメンバーに螺合し先端部が前記ストッパー突起の後端に当接するストッパーネジより構成される事により、移動側アウターメンバーが通常使用時の引出し停止位置から最大伸長状態まで移動するときにのみ
　【０００５】
　又、本発明が第２の手段として構成したところは、固定側アウターメンバーと、該固定側アウターメンバーに対向して設けられた移動側アウターメンバーと、上記両メンバー間に嵌挿されたインナーメンバー等からなり、引出し量を
使用者が使用する
、サービスマンが使用する
とした
通常使用時の引出し停止位置で移動側アウターメンバーを停止させる
は、移動側アウターメンバーに形成されたインナーメンバー側
インナーメンバーに
前端に
される事により、移動側アウターメンバーが通常使用時の引出し停止位置から最大伸長状態まで移動するときにのみドライバー等の工具にてストッパー状態が解除可能に
　【０００６】
　又、本発明が第３の手段として構成したところは、固定側アウターメンバーと、該固定側アウターメンバーに対向して設けられた移動側アウターメンバーと、上記両メンバー間に嵌挿されたインナーメンバー等からなり、引出し量を
使用者が使用する
、サービスマンが使用する
とした
通常使用時の引出し停止位置で移動側アウターメンバーを
、インナーメンバーに形成された移動側アウターメンバー側に突出する弾性ストッパー突起と、移動側アウターメンバーに形成されてインナーメンバー側に突出し、前記弾性ストッパー突起の後端に当接するストッパー突壁と、ストッパー突壁の前側に形成されて、前記弾性ストッパー突起をインナーメンバー側に変移せしめる為の操作孔より構成される事により、移動側アウターメンバーが通常使用時の引出し停止位置から最大伸長状態まで移動するときにのみドライバー等の工具にてストッパー状態が解除可能に
　【０００８】
　【実施例】　以下、本発明を添付図面に基づいて説明する。
　尚、説明の便宜上、図８において左右方向を前後方向、として説明する。
　図１において、符号１００は、本発明のスライドレールを示し、スライドレール１００は、固定側アウターメンバー１と、固定側アウターメンバー１に対向して設けられた移動側アウターメンバー２と、固定側アウターメンバー１と移動側アウターメンバー２間に嵌挿自在に設けられたインナーメンバー３と、固定側アウターメンバー１とインナーメンバー３間に設けられた内側リテーナー４と、インナーメンバー３と移動側アウターメンバー２間に設けられた外側リテーナ５と、固定側アウターメンバー１とインナーメンバー３間で内側リテーナー４に回転自在に保持されたボール４０・・・と、インナーメンバー３と移動側アウターメンバー２間で、外側リテーナ５に回転自在に保持されたボール５０・・・より構成されている。
　【０００９】
　固定側アウターメンバー１は、帯状金属板の上下端部を内向き円弧状あるいはＶ字状に彎曲せしめて形成した内面前後方向に上下ボール案内溝１１、１１を有する上下折曲縁１２、１２と、基板１０より断面略Ｃ字形に構成され、基板１０の前端部には、インナーメンバー３側に突出せしめた内側リテーナー４の前端部が当接する内側リテーナー前端スットパー１３が形成され、基板１０の後部には、インナーメンバー３側に突出せしめた内側リテーナー４の後端部が当接する内側リテーナー後端スットパー１３１が形成され、基板１０の後端部には、インナーメンバー３側に突出せしめたインナーメンバー３の後端部が当接するインナーメンバー後端ストッパー１３２が形成されている。
　符号１４・・・は固定部材への取り付け孔を示している。
　【００１０】
　移動側アウターメンバー２は、固定側アウターメンバー１とほぼ同長で、内面前後方向に上下ボール案内溝２１、２１を有する上下折曲縁２２、２２と、基板２０より、断面略Ｃ字形に構成され、基板２０の前部には、インナーメンバー３側に突出して、外側リテーナー５の前端部に当接する外側リテーナー前端スットパー２３が形成され、基板２０の後端部には、インナーメンバー３側に突出して、外側リテーナー５の後端部に当接する外側リテーナー後端スットパー２３１が形成され、基板２０の前端部には、インナーメンバー３側に突出して、インナーメンバー３の前端部に当接するインナーメンバー前端ストッパー２３２が形成されている。
　符号２４・・・は移動部材への取り付け孔を示し、符号６２は後述するストッパー手段６のストッパーネジ６１の取付用螺孔を示している。
　【００１１】
　インナーメンバー３は、上記両アウターメンバー１、２間に嵌挿可能な大きさで、ほぼ同長に形成されている。
　詳しくは、２つの帯状金属板の上下端部を外向き円弧状あるいはＶ字状に彎曲せしめて形成された外面前後方向にボール案内溝３１、３１、３３、３３を有する上下折曲縁３２、３２、３４、３４と、基板３０、３０より断面略Ｃ字形の２つの部材を、基板３０、３０の背面側同士を固着して断面ほぼ略Ｉ字形に形成されている。
　【００１２】
　符号３１１・・・は基板３０の前端部に移動側アウターメンバー２側に突出し、外側リテーナ５の前端部が当接する外側リテーナ前ストッパーを示している。一方、外側リテーナー前ストッパー３１１に対向してインナーメンバー３の後端部には、基板３０を固定側アウタメンバー側に突出せしめて内側リテーナー４の後端部に当接する内側リテーナー後ストッパー（図示せず。）が形成されている。符号６３は、基板３０の前後方向ほぼ中央部を外側リテーナ５側に切り起こして形成されたストッパー突起を示し、ストッパー手段６は、ストッパーネジ６１、取付用螺孔６２、ストッパー突起６３より構成されている。
　【００１３】
　内側リテーナー４は、両アウターメンバー１、２のほぼ半分程度の長さで、基板４１と、基板４１の上下端部を移動側アウターメンバー２側に折り曲げて形成された上下突出縁４２、４２より断面略コ字形で、インナーメンバー３の約半分弱の長さに形成にされ、上下突出縁４２、４２の前後方向に所定間隔を有して、複数個のボール４０・・・を回転自在に保持している。
　外側リテーナー５は、両アウターメンバー１、２のほぼ半分程度の長さで、内側リテーナー４に対向した同形で、基板５１と上下突出縁５２、５２より断面略コ字形に形成され、上下突出縁５２、５２の前後方向に所定間隔を有して、複数個のボール５０・・・を回転自在に保持している。
　【００１４】
　固定側アウターメンバー１と、移動側アウターメンバー２と、インナーメンバー３と、内側リテーナー４と、外側リテーナー５は、上記の如く構成されており、固定側アウター１とインナーメンバー３と移動側アウターメンバー２の全長が重合した状態〔図８（Ａ）に示す、機器等が収納された状態。ストッパー手段６のストッパーが解除された状態。〕で、移動側アウターメンバー２を前方に引き出すと（移動側アウターメンバー２と連結された機器を前方に引き出すと。）、移動側アウターメンバー２の前方移動に伴って、外側リテーナー５がボール５０・・・と共に、移動側アウターメンバー２の移動距離の２分の１しか移動しないので、やがて、移動側アウターメンバー２の後端部に形成された外側リテーナー後端スットパー２３１が、外側リテーナー５の後端面に当接すると同時に、外側リテーナー５の前端部が、インナーメンバー３の外側リテーナ前ストッパー３１１に当接して、インナーメンバー３に対する移動側アウターメンバー２の移動は停止する。
　【００１５】
　一方、固定側アウターメンバー１に対しインナーメンバー３が前方に移動すると、内側リテーナー４は、ボール４０・・・と共にインナーメンバー３の移動距離の２分の１しか移動しないので、やがて、インナーメンバー３の内側リテーナー後ストッパー（図示せず。）が、内側リテーナー４の後端面に当接すると同時に、内側リテーナー４の前端面が固定側アウターメンバー１の内側リテーナー前端ストッパー１３に当接し、固定側アウターメンバー１に対するインナーメンバーの移動は停止し、移動側アウターメンバー２は前方に最も引き出された状態で停止する。〔図８（Ｃ）に示す、サービスマンが機器等を点検修理する状態。〕
　【００１６】
　この状態から、移動側アウターメンバー２を後方に移動させると、前述した動作とは逆に、移動側アウターメンバー２の前部に形成された外側リテーナー前端スットパー２３が、外側リテーナー５の前端面に当接すると同時に、移動側アウターメンバー２の前端部に形成されたインナーメンバー前端ストッパー２３２が、インナーメンバー３の外側リテーナー前ストッパー３１１に前面に当接して、インナーメンバー３に対する移動側アウターメンバー２の移動は停止する。
　【００１７】
一方、インナーメンバー３が後方に移動し、これに伴って内側リテーナー４もインナーメンバー３の移動距離の２分の１移動し、内側リテーナー４の後端面が固定側アウターメンバー１の内側リテーナー後端ストッパー１３１に当接し、同時に、インナーメンバー３の内側リテーナー後ストッパー（図示せず。）が固定側アウターメンバー１のインナーメンバー後端ストッパー１３２に当接して、固定側アウターメンバー１に対するインナーメンバー３の移動は停止し、移動側アウターメンバー２の後方への移動は停止する。〔図８（Ａ）に示す状態。〕
　【００１８】
　次に通常使用する状態（ストッパー手段６が機能している状態。）でのスライドレール１００について説明する。
　前記した第１実施例のストッパー手段６は、移動側アウターメンバー２の外側リテーナー後端ストッパー２３１のやや前方に形成された孔の裏面側にナット６２１を固着してストッパーネジ６１が螺合する取付用螺孔６２を形成し、ストッパーネジ６１の先端部分が、インナーメンバー３の基板３０に形成されたストッパー突起６３の後端面に当接する構成としているので、移動側アウターメンバー２が前方に移動すると、ストッパーネジ６１の先端部がストッパー突起６３に当接して、インナーメンバー３に対する移動側アウターメンバー２の前方移動は停止し、インナーメンバー２が固定側アウターメンバー１に対し最も引き出された状態でも、全体の引き出し量は小さくなり、用紙、トナー等の交換、紙詰まりの除去等の通常使用状態となる。〔図８（Ｂ）に示す状態。〕
　そして、サービスマンが機器を点検、修理する時は、図８（Ｂ）に示す状態で、ドライバーにてストッパーネジ６１をゆるめ、ストッパー突起６３の後端から移動側アウターメンバ２よりにストッパーネジ６１の先端部を回避せしめて、ストパー状態を解除せしめ、図８（Ｃ）に示す状態まで引き出し可能とする。
　【００１９】
　次に、ストッパー手段７の第２実施例を図４において説明する。
　ストッパー手段７は、インナメンバー３の基板３０のやや後方よりに形成された孔の移動側アウターメンバー２側にナット７１を固着して形成された取付用螺孔７３と、固定側アウターメンバー１側から取付用螺孔７３に螺合するストッパーネジ７２と、移動側アウターメンバー２の基板２０の所定位置の一部をインナーメンバー側に切り起こして形成されたストッパー突起７４より構成され、ストッパーネジ７２の先端部分にストッパー突起７３の前端面が当接、あるいは、ストッパーネジ７２の先端部分を回避する事により機能する。
　【００２０】
　次に、ストッパー手段の第３実施例を図５、図６、図７に基づいて説明する。ストッパー手段８は、インナーメンバー３の移動側アウターメンバー２側の基板３０の所定位置に取り付けられた、取付基板８１と取付基板８１の後端から移動側アウターメンバー２側に向かって後方に突出する傾斜片８２よりなる板バネ材より形成された弾性ストッパー突起８０と、移動側アウターメンバー２に形成されてインナーメンバー２側に突出し前記弾性ストッパー突起８０の後端に当接するストッパー突壁８３（本実施例ではと、外側リテーナー後端スットパー２３１を兼用している。）と、ストッパー突壁８３の前側に形成されて、前記弾性ストッパー突起８０をインナーメンバー側に変移せしめるための操作孔８４より構成されている。
　【００２１】
　すなわち、移動側アウターメンバー２が引き出されると、移動側メンバー２に形成されたストッパー突壁８３が、やがて、弾性ストッパー突起８０の後端に当接し、移動側アウターメンバー２のインナーメンバー３に対する移動が停止し、インナーメンバー２が固定側アウターメンバー１に対し最も引き出された状態でも、全体の引き出し量は小さくなり、用紙、トナー等の交換、紙詰まりの除去等の通常使用状態となる。〔図８（Ｂ）に示す状態。〕
　そして、サービスマンが機器を点検、修理する時は、図７に示す状態で、操作孔８４にドライバー等の先端を差し込んで、弾性ストッパー突起８０をインナーメンバー３側に押しやり弾性ストッパー突起８０の後端をストッパー突壁８３より回避せしめた状態を維持しながら、移動側アウターメンバー２を前方に移動せしめ、図８（Ｃ）に示す状態まで引き出す。
　【００２２】
　この状態から、移動側アウターメンバー２を収納していくと、弾性ストッパー突起８０は、移動側アウターメンバー２側に向かって後方に突出する傾斜片８２を有する板バネ材より形成されているので、ストッパー突壁８３は、弾性ストッパー突起８０をインナーメンバー３側に押しやりながら通過し、同時に、弾性ストッパー突起８０は弾性にて通常姿勢に復帰する事で、通常使用状態で再びストッパー機能を発揮する。
　尚、実施例では、ストッパー手段６、７、８の構成する位置を、インナーメンバー３、移動側アウターメンバー２の前後方向で同一位置に構成していないのは、通常使用状態での引き出し量は、使用される複写機等の種類によってそれぞれ設定されるからである。
　【００２３】
　【発明の効果】
　請求項１に記載の発明によれば、ストッパー手段がインナーメンバーと移動側アウターメンバー間に構成されているので、複写機等の本体側にそれぞれの種類に対応した加工を必要とせず製作が容易である。（スライドレールは通常、部品メーカーより購入される。）
　又、ストッパー状態の解除をドライバー等の工具で行うようにしているので、使用者が誤って操作する事がなく、安全性が確保できる。
　【００２４】
　
さらに、請求項１及び請求項２
　【００２５】
　請求項
３
【図面の簡単な説明】
　【図１】　　本発明の第１実施例の要部分解斜視図
　【図２】　　本発明の第１実施例における図８（ｂ）のＡ−Ａ線拡大断面図
　【図３】　　本発明の第１実施例のストッパー手段を示す要部拡大断面図
　【図４】　　本発明の第２実施例のストッパー手段を示す要部拡大断面図
　【図５】　　本発明の第３実施例の要部分解斜視図
　【図６】　　本発明の第３実施例における図８（ｂ）のＡ−Ａ線拡大断面図
　【図７】　　本発明の第３実施例のストッパー手段を示す要部拡大断面図
　【図８】　　それぞれの引き出し量を示す説明図
　【符号の説明】
　１　　　　　　　　　固定側アウターメンバー
　２　　　　　　　　　移動側アウターメンバー
　３　　　　　　　　　インナーメンバー
　４　　　　　　　　　内側側ボールリテーナー
　５　　　　　　　　　外側ボールリテーナー
　６　　　　　　　　　ストッパー手段
　６１　　　　　　　　ストッパーネジ
　６３　　　　　　　　ストッパー突起
　７　　　　　　　　　ストッパー手段ー
　７１　　　　　　　　ストッパーネジ
　７４　　　　　　　　ストッパー突起
　８　　　　　　　　　ストッパー手段
　８０　　　　　　　　弾性ストッパー突起
　８３　　　　　　　　ストッパー突壁
　８４　　　　　　　　操作孔